(57)【要約】【課題】透明フィルム包装に紙葉類が収納された透明包装媒体を含む種々の紙葉類を円滑に処理することが可能な紙葉類処理装置を提供する。【解決手段】実施形態によれば、紙葉類集積装置は、複数の紙葉類が立位状態で載置される集積ベースを有し、紙葉類を面方向に順次重ねて集積する収容部と、搬送されてくる紙葉類を収容部内に押込む押込み機構と、押込み機構に対向して、かつ、紙葉類の集積方向に移動可能に設けられ、集積される紙葉類を押込み機構との間に挟んで保持するとともに、紙葉類の集積につれて押込み機構から離れる方向へ移動するバックアップと、バックアップを押込み機構に向かって付勢する可変荷重ばね機構であって、バックアップが押込み機構側から第１距離だけ集積方向に移動する間、バックアップに第１ばね力を印加し、バックアップが前記第１距離から更に第２距離だけ集積方向に移動する間、バックアップに前記第１ばね力よりも小さい第２ばね力を印加する可変荷重ばね機構と、を備えている。【選択図】図２
2014181132.tif 000002
【特許請求の範囲】
【請求項１】
複数の紙葉類が立位状態で載置される集積ベースを有し、紙葉類を面方向に順次重ねて集積する収容部と、
搬送されてくる紙葉類を前記収容部内に押込む押込み機構と、
前記押込み機構に対向して、かつ、前記紙葉類の集積方向に移動可能に設けられ、集積される紙葉類を前記押込み機構との間に挟んで保持するとともに、紙葉類の集積につれて前記押込み機構から離れる方向へ移動するバックアップと、
前記バックアップを前記押込み機構に向かって付勢する可変荷重ばね機構であって、前記バックアップが前記押込み機構側から第１距離だけ集積方向に移動する間、前記バックアップに第１ばね力を印加し、前記バックアップが前記第１距離から更に第２距離だけ集積方向に移動する間、前記バックアップに前記第１ばね力よりも小さい第２ばね力を印加する可変荷重ばね機構と、
を備える紙葉類集積装置。
【請求項２】
前記収容部は、前記集積ベースに立設され前記集積方向に延び、前記押込み機構により押込まれた紙葉類の搬送方向先端が突き当たる側壁を有し、
前記側壁上に、前記集積方向に沿って移動自在に支持されているとともに、前記バックアップに連結されたスライダを更に備え、
前記バックアップは、前記スライダに支持されている請求項１に記載の紙葉類集積装置。
【請求項３】
前記可変荷重ばね機構は、前記側壁に支持された可変荷重ばねを有し、前記可変荷重ばねは、前記スライダに連結されている請求項２に記載の紙葉類集積装置。
【請求項４】
前記押込み機構は、紙葉類を集積位置に向けて送る搬送ベルトと、前記集積位置において前記バックアップと対向して設けられ、紙葉類を集積位置に押込む押込みローラと、送りスクリューと、を備えている請求項１ないし３のいずれか１項に記載の紙葉類集積装置。
【請求項５】
前記集積ベースは、平坦な支持面と、この支持面上に突設され前記紙葉類の下側縁が載置される複数のガイドリブと、を有し、前記複数のガイドリブは、それぞれ前記押込み機構側から前記集積方向に沿って直線的に延び、
各ガイドリブは、前記第１距離内に位置する部分が高摩擦材料で形成され、前記第２距離内に位置する部分が前記高摩擦材料よりも摩擦力が小さい低摩擦材料で形成されている請求項１ないし４のいずれか１項に記載の紙葉類集積装置。
【発明の詳細な説明】
【技術分野】
【０００１】
この発明の実施形態は、郵便物等の紙葉類を集積する紙葉類集積装置に関する。
【背景技術】
【０００２】
紙葉類集積装置として、例えば、高速で搬送される郵便物などの紙葉類を立位状態で集積して収容する紙葉類集積装置が知られている。この種の集積装置は、紙葉類を収容する収容部、可動式のバックアッププレート、押込みローラ、支持ガイドなどを備えている。バックアッププレートは、収容部に集積された紙葉類のうち集積方向一端にある紙葉類に面接して配置され、紙葉類の集積量に応じて集積方向に移動するとともに、集積した紙葉類を集積方向に押圧する。押込みローラは、バックアッププレートから離間した側の集積方向他端にある紙葉類に転接する位置に配置され、バックアッププレートにより押圧される紙葉類をバックアッププレートとの間で挟持する。また、押込みローラは、他端側の紙葉類との間に次の紙葉類を受け入れて回転することで、次の紙葉類を集積した紙葉類の端部に押込む。
【先行技術文献】
【特許文献】
【０００３】
【特許文献１】特開２００３−３０６２６４号公報
【特許文献２】特開２００３−０３４４４５号公報
【発明の概要】
【発明が解決しようとする課題】
【０００４】
近年、郵便物処理機等の紙葉類処理装置に求められる処理できる紙葉類（書状）のサイズは拡大方向にあり、紙葉類の厚さについても年々厚くなる方向に要求が上がってきている。上述した集積装置では、バックアッププレートに印加される押圧荷重は一定であり、紙葉類の重さにより、例えば、厚い紙葉類が送り込まれてきた時に、バックアップ部材が弾かれ、紙葉類が飛び出して集積できない場合がある。また、これを防止するために、バックアップ部材に印加する押圧荷重を大きくすると、集積された紙葉類が溜まって来るにつれて生じる集積圧が緩和されてないため、集積された紙葉類と押込みローラとの間の圧力が高まり、紙葉類を送り込むことが困難となる。
【０００５】
この発明は、以上の点に鑑みなされたもので、その課題は、紙葉類を安定して集積することが可能な紙葉類の集積装置を提供することにある。
【課題を解決するための手段】
【０００６】
実施形態によれば、紙葉類集積装置は、複数の紙葉類が立位状態で載置される集積ベースを有し、紙葉類を面方向に順次重ねて集積する収容部と、搬送されてくる紙葉類を前記収容部内に押込む押込み機構と、前記押込み機構に対向して、かつ、前記紙葉類の集積方向に移動可能に設けられ、集積される紙葉類を前記押込み機構との間に挟んで保持するとともに、紙葉類の集積につれて前記押込み機構から離れる方向へ移動するバックアップと、前記バックアップを前記押込み機構に向かって付勢する可変荷重ばね機構であって、前記バックアップが前記押込み機構側から第１距離だけ集積方向に移動する間、前記バックアップに第１ばね力を印加し、前記バックアップが前記第１距離から更に第２距離だけ集積方向に移動する間、前記バックアップに前記第１ばね力よりも小さい第２ばね力を印加する可変荷重ばね機構と、を備えている。
【図面の簡単な説明】
【０００７】
【図１】図１は、実施形態に係る紙葉類集積装置を備える紙葉類処理装置を概略的に示すブロック図。
【図２】図２は、前記紙葉類集積装置を示す斜視図。
【図３】図３は、前記紙葉類集積装置を図２とは異なる方向から示す斜視図。
【図４】図４は、前記紙葉類集積装置の押込み機構を示す側面図。
【図５】図５は、前記紙葉類集積装置を示す平面図。
【図６】図６は、前記紙葉類集積装置の収容部およびガイドリブを概略的に示す側面図。
【図７】図７は、前記押込み機構の送りスクリューを示す平面図。
【図８】図８は、前記送りスクリューを示す斜視図。
【図９】図９は、前記紙葉類集積装置のガイド機構および可変荷重ばね機構を示す側面図。
【図１０】図１０は、前記可変荷重ばね機構を示す斜視図。
【図１１】図１１は、前記紙葉類集積装置における紙葉類の集積状態を概略的に示す図。
【図１２】図１２は、前記紙葉類集積装置における、紙葉類の集積量とばね荷重（ばね力）との関係を示す図。
【発明を実施するための形態】
【０００８】
以下、図面を参照しながら実施形態について、詳細に説明する。  
図１は、実施形態に係る紙葉類集積装置１（以下、単に、集積装置１と称する）を含む紙葉類処理装置１０の構成を概略的に示すブロック図である。この紙葉類処理装置１０は、複数枚の紙葉類Ｐから宛先などを順次読取って区分集積するものであり、上述した集積装置１を複数台備える集積部７の他に、取出装置２、検知部３、区分部４、排除部５、および読取装置６を備えている。なお、本実施形態に係る紙葉類処理装置１０で処理する紙葉類は郵便物であるが、被処理媒体（すなわち紙葉類）は郵便物に限るものではない。
【０００９】
紙葉類Ｐは、多数枚積層した状態で取出装置２にセットされ、この取出装置２により搬送路８上に１枚ずつ取出される。搬送路８には、複数組の図示しない無端状の搬送ベルトが搬送路８を挟むように延設され、紙葉類Ｐは搬送ベルトに挟持されて搬送される。搬送路８上に取出された紙葉類Ｐは、検知部３へ搬送される。この検知部３で紙葉類Ｐの重送、ショートギャップ、厚さ、高さなどを検出し、規定外の紙葉類Ｐが区分部４を介して、排除部５へ搬送される。それ以外の紙葉類Ｐ、すなわち、規定内の紙葉類Ｐは、区分部４を介してさらに下流の読取装置６へと搬送される。読取装置６は、紙葉類Ｐから宛先などの情報を読取る。そして、読取装置６により読取った各種情報に基づいて、図示しない制御部が紙葉類Ｐの区分先を判別する。集積部７は、読取情報に基づき紙葉類Ｐを区分する複数の区分部４と、区分された紙葉類Ｐをそれぞれ集積する複数の集積装置１と、を備えている。読取装置６を通過した紙葉類Ｐは、判別結果に基づいて、区分部４を介してその搬送方向が振分けられ、何れかの集積装置１へ送られて区分集積される。
【００１０】
次に、集積装置１について詳細に説明する。図２および図３は、それぞれ集積装置１を示す斜視図、図４は、集積装置の押込み機構を示す平面図、図５は、集積装置の一部を示す平面図である。
【００１１】
図２ないし図５に示すように、集積装置１は、複数の紙葉類Ｐを立位状態で集積する収容部２０と、区分搬送されてきた紙葉類Ｐを収容部内に押し込み、順次、集積する押込み機構４０と、収容部内に押込み機構に対向して設けられ、集積された紙葉類Ｐを押込み機構との間に挟み込んで保持するバックアッププレート（バックアップ、あるいは集積パドル）５４と、バックアッププレートを押込み機構４０および集積紙葉類に向けて付勢する可変荷重ばね機構６０と、を備えている。
【００１２】
収容部２０は、押込み機構４０によって押込まれた複数の紙葉類Ｐが立位状態で重ねて載置されるほぼ矩形板状の集積ベース（底壁）２２と、搬送されてくる紙葉類Ｐの搬送方向先端、すなわち、紙葉類の一方の短辺あるいは長辺が突き当たる側壁２４と、を有している。集積ベース２２の上面はほぼ水平な支持面２２ａを構成し、側壁２４はこの支持面２４ａに対してほぼ垂直に立設されている。また、側壁２４は、支持面２２ａの一側縁に沿って設けられ、収容部２０における紙葉類Ｐの集積方向Ｄに沿って延在している。集積ベース２２の入り口側の端に、表面が平坦な集積入口ベース２６が設けられ、支持面２２ａよりも一段高く位置している。
【００１３】
支持面２２ａ上には、集積される紙葉類Ｐと支持面２２ａとの間の摩擦を低減するため、複数、例えば、３本のガイドリブ２７ａ、２７ｂ、２７ｃが突設されている。各ガイドリブ２７ａ、２７ｂ、２７ｃは、支持面２２ａの入り口側の端から集積方向Ｄの反対側の端まで直線状に延びている。集積ベース２２の支持面２２ａは、集積入口ベース２６の表面よりも一段低く位置し、ガイドリブ２７ａ、２７ｂ、２７ｃの上端が、集積入口ベース２６の表面と同一平面に位置している。支持部材として機能する各ガイドリブ２７ａ、２７ｂ、２７ｃの断面形状は、紙葉類Ｐに接触する部分を円形にしている。
【００１４】
また、３本のガイドリブ２７ａ、２７ｂ、２７ｃは、側壁２４と直交する方向に間隔を置いて、並んで設けられている。図６に示すように、最も側壁２４側に設けられたガイドリブ２７ａと、その隣のガイドリブ２７ｂとは、最小寸法の紙葉類Ｐ１の側縁および中型寸法の紙葉類Ｐ２の側縁がこれらのガイドリブ上に載る位置に設けられ、更に、中間のガイドリブ２７ｂは、中型寸法の紙葉類Ｐ２の重心Ｃよりも外側に、つまり、側壁２４から重心Ｃよりも離れた位置に設けられている。側壁２４から最も離間するガイドリブ２７ｃは、大型寸法の紙葉類Ｐ３の側縁が３本のガイドリブ２７ａ、２７ｂ、２７ｃ上に載る位置に設けられている。
【００１５】
図２に示すように、各ガイドリブ２７ａ、２７ｂ、２７ｃは、押込み機構４０側の端から長手方向の中間位置までの第１部分（第１距離部分あるいは集積初期段階部分）２５ａは、高摩擦材料、例えば、アルミニウムで形成され、この第１部分からガイドリブの他端まで延びる第２部分（第２距離部分あるいは集積中段階部分）２５ｂは、前記高摩擦材料よりも摩擦係数の小さい、低摩擦材料、例えば、デルリンで形成されている。
【００１６】
図２ないし図５に示すように、押込み機構４０は、複数の搬送ベルト４２、搬送ガイド４４、一対の押込みローラ４６、４７、送りスクリュー４８、押込みローラおよび送りスクリューを駆動する駆動モータ５０を備え、収容部２０の集積入口ベース２６に設けられている。
【００１７】
搬送ガイド４４は、紙葉類Ｐの流入側から収容部２０の集積位置を通り側壁２４まで延びて設けられている。搬送ガイド４４の終端に、ストッパ４５が設けられ、このストッパは、収容部２０の側壁２４とほぼ整列して位置している。複数の搬送ベルト４２は、搬送ガイド４４の流入側の部分に沿って設けられ、区分搬送されてきた紙葉類Ｐを挟み込んで搬送し、紙葉類Ｐを集積位置に向かって送り出す。押込みローラ４６、４７は、集積位置に隣接対向して、すなわち、後述するバックアッププレートに対向して、設けられている。押込みローラ４６、４７は、紙葉類の押込み方向に関して、上流側と下流側に並んで配置されている。押込みローラ４６、４７は、集積入口ベース２６上にそれぞれ回転自在に支持されている。
【００１８】
送りスクリュー４８は、集積入口ベース２６内に回転自在に支持され、紙葉類の押込み方向に対して、押込みローラ４６の上流側に設けられている。図６および図７に示すように、送りスクリュー４８は、円柱形状の軸部４８ａと、軸部の外周に螺旋状に設けられた羽部あるいはねじ山４８ｂとを有し、例えば、１５ｍｍピッチの１条ネジとして構成されている。また、軸部４８ａの一端部には、送りスクリュー４８の回転バランスを取るための切欠き溝４８ｃが形成されている。
【００１９】
図２ないし図５に示すように、駆動モータ５０は、その回転軸が押込みローラ４６に連結され、押込みローラ４６をダイレクト駆動する。押込みローラ４６と押込みローラ４７とに駆動ベルト５１が掛け渡され、また、押込みローラ４６と送りスクリュー４８とに駆動ベルト５２が掛け渡されている。これにより、駆動モータ５０の駆動力を押込みローラ４７および送りスクリュー４８に伝達し、押込みローラ４７および送りスクリュー４８を回転する。
【００２０】
このように構成された押込み機構４０において、搬送ベルト４２に挟持されて送られる紙葉類Ｐが集積部入口で解放され、搬送ガイド４４に沿って搬送され、押込みローラ４６、４７と後述のバックアップ板と間の隙間に入ると、順方向回転している押込みローラ４６、４７の駆動力により紙葉類Ｐを搬送方向Ｃに沿ってさらに奥に押込む。下流側の押込みローラ４７は、上流側の押込みローラ４６よりも遅い速度で回転し、押込まれた紙葉類Ｐを減速させる。紙葉類Ｐは、その送り込み側の端がストッパ４５に当たり、集積位置に停止する。なお、ストッパ４５は、搬送力による紙葉類Ｐの衝撃を吸収しやすい材料、例えば、弾性体（ゴムなど、ゲルでも可）で形成されている。
【００２１】
また、紙葉類Ｐが送りスクリュー４８上を通過する際、送りスクリュー４８は、回転する条により、紙葉類Ｐを押込みローラ４６の方向に搬送しつつ、紙葉類Ｐの後端部を条の回転方向、つまり、収容部２０の方向に押し出す。これにより、後続の紙葉類Ｐの先端の進入路を開け、紙葉類を連続的に集積することを可能にしている。また、本実施形態において、送りスクリュー４８を、１５ｍｍピッチの１条ネジで構成することにより、厚さ１２．７ｍｍの紙葉類へも対応でき、また、送りスクリューの回転速度を上げることにより、薄い紙葉類にも対応することができる。  
上記のようにして、押込み機構４０により、複数枚の紙葉類Ｐを順次、収容部２０内の集積位置に立位状態で送り込むことにより、紙葉類Ｐを集積方向Ｄに沿って連続的に集積する。
【００２２】
図２、図３、図５に示すように、収容部２０は、バックアッププレート（バックアップ）５４を備えている。バックアッププレート５４は、例えば、矩形板状に形成され、押込み機構４０の押込みローラ４６、４７と対向して設けられている。すなわち、バックアッププレート５４は、集積ベース２２の支持面２２ａおよび側壁２４に対してほぼ垂直に延び、更に、紙葉類Ｐの集積方向Ｄに沿って移動可能に支持されている。側壁２４の上部に集積方向Ｄと平行に延びるガイドレール２８が設けられている。このガイドレール２８に沿って摺動自在なスライダ３０がガイドレールに支持されている。そして、スライダ３０は、連結アーム３２によりバックアッププレート５４に連結されている。これにより、バックアッププレート５４は、スライダ３０に支持され、スライダ３０と共に、集積方向Ｄに沿って往復移動可能となっている。
【００２３】
バックアッププレート５４は、可変荷重ばね機構６０により押込みローラ４６、４７に向かって付勢され、集積された紙葉類Ｐを押込みローラ４６、４７との間に挟みこんで保持する。また、バックアッププレート５４は、紙葉類Ｐの集積量の増加に伴い、スライダ３０と共に、ガイドレール２８に沿って集積方向Ｄと平行に移動する。
【００２４】
図２、図３、図８に示すように、可変荷重ばね機構６０は、収容部２０の側壁２４に設けられた可変荷重ばね（コンストンばね（商品名））６２と、可変荷重ばねをスライダ３０に連結する連結ワイヤ６４と、を有している。図８および図９に示すように、可変荷重ばね６２は、板状の支持フレーム６５と、それぞれ支持フレーム６５に回転自在に取り付けられた第１プーリ６６ａおよび第２プーリ６６ｂと、第１プーリ６６ａにゼンマイ状に巻きつけられ、更に、続いて第２プーリ６６ｂにゼンマイ状に巻き付けられた帯状の細長い板ばね６８と、を有している。板ばね６８は、長さ方向の中途部から厚さ、幅、あるいは、硬さが変化し、ばね力が変化するように形成されている。
【００２５】
また、第１プーリ６６ａに、これと一体に回転する第３プーリ７０が取付けられている。第３プーリ７０に連結ワイヤ６４が巻きつけられている。連結ワイヤ６４は、第３プーリ７０から引き出され、支持フレーム６２の貫通孔を通り、更に、側壁２４に支持されたガイドガイドローラ７４に掛けられた後、スライダ３０に連結されている。そして、連結ワイヤ６４が引き出されることにより、第３プーリ７０および第１プーリ６６ａが回転し、板ばね６８を第１プーリ６６ａに巻き取るとともに、第２プーリ６６ｂから板ばね６８を送り出す。これにより、板ばね６８は、巻き戻す方向のばね力を発生し、連結ワイヤ６４を介してスライダ３０にばね力を印加する。すなわち、可変荷重ばね６２は、スライダ３０およびバックアッププレート５４にばね力を印加し、バックアップを５４を押込みローラ４６、４７に向かう方向に付勢する。スライダ３０およびバックアッププレート５４が集積方向Ｄに移動すると、これに応じて、連結ワイヤ６４が更に引き出され、可変荷重ばね６２は連結ワイヤ６４を介してバックアッププレート５４を付勢する。
【００２６】
図１０および図１１に示すように、バックアッププレート５４の移動ストロークをＤとする場合、可変荷重ばね６２は、バックアッププレート５４が初期位置、すなわち、集積位置から集積方向Ｄに第１距離Ｄ１だけ移動する間、すなわち、集積初期段階において、第１ばね力（例えば、７００ｇ）でバックアッププレート５４を付勢し、バックアッププレート５４が第１距離から更に集積方向Ｄに第２距離Ｄ２（＝Ｄ−Ｄ１）だけ移動する間、すなわち、集積中段階において、第１ばね力よりも小さい第２ばね力（例えば、５００ｇ）でバックアッププレート５４を付勢する。なお、可変荷重ばね６２は、第１ばね力から第２ばね力まで徐々にばね力が低下するようにしてもよい。
【００２７】
図２および図３に示すように、側壁２４の後端部に満杯検知スイッチ５６が設けられている。紙葉類Ｐの集積量が増加し、バックアッププレート５４とともにスライダ３０が側壁２４の後端部までスライドして集積満杯付近に来ると、スライダ３０は、満杯検知スイッチ５６のプリスイッチをオンする。これにより、図示しないアラームが鳴り、また、ランプが点滅し、作業者に注意喚起をする。また、スライダ３０が更に側壁２４の後端側に移動すると、集積満杯スイッチ５６のフルスイッチがオンとなり、集積満杯を検出し、これ以上集積しないように集積動作を停止する。指定された集積装置１が満杯の場合、紙葉類Ｐは、紙葉類区分装置に設けられた図示しないオーバーフロー集積部に集積される。
【００２８】
以上のように構成された紙葉類集積装置１によれば、バックアッププレート５４は、可変荷重ばね機構６０により押込みローラに向けて付勢され、紙葉類Ｐが集積され溜まっても集積状態を崩さないように集積紙葉類を保持している。集積初段階では、バックアッププレート５４に印加するばね荷重を重くし、厚い紙葉類や重い紙葉類によりバックアッププレート５４が弾かれることを防止することができる。また、集積の中段階から、バックアッププレートに印加するばね荷重を軽くすることにより、集積紙葉類が溜まってくるに連れ生じる押込みローラ４６、４７とバックアッププレート５４の間にある紙葉類Ｐとの圧力の増加を緩和することができる。これにより、取扱う紙葉類の仕様を拡大しても、集積装置により種々の紙葉類を集積することが可能となる。
【００２９】
また、集積ベース２２に設けられたガイドリブ２７ａ、２７ｂ、２７ｃは、集積初期段階で紙葉類に接触する部分を高摩擦材料で形成し、集積中段階で紙葉類に接触する部分を低摩擦材料で形成することにより、集積初段階で、重い紙葉類の飛び跳ねを抑止し、集積中段階から、集積紙葉類とバックアップパネルとの間に作用する圧力の増加を緩和することができる。
【００３０】
更に、押込みローラ４６と駆動モータ５０を直結したダイレクト駆動とすることにより、集積紙葉類が溜まってくるに連れて押込みローラと紙葉類Ｐと接触圧力が高くなった場合でも、押込みローラ４６が止まることなく、安定して回転させることができる。  
以上のことから、種々の紙葉類を安定して集積することが可能な紙葉類集積装置が得られる。
【００３１】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００３２】
例えば、紙葉類の有無、通過を検出するセンサは、２つに限らず、３つ以上設けてもよい。第１センサにおける透明媒体センサおよび紙葉類センサは、反射光学センサ、透過光学センサに限らず、他のセンサで構成してもよい。透明包装媒体を識別するための検出信号時間差は、サンプリング周期を基準にすることなく、任意に設定可能である。
【符号の説明】
【００３３】
１…紙葉類集積装置、Ｐ…紙葉類、２０…収容部、２２…集積ベース、
２２ａ…支持面、２４…側壁、２７ａ、２７ｂ、２７ｃ…ガイドリブ、
３０…スライダ、４０…押込み機構、搬送ベルト、３１…押込み機構、
４４…搬送ガイド、４６、４７…押込みローラ、４８…送りスクリュー、
５０…駆動モータ、５４…バックアッププレート、６０…可変荷重ばね機構、
６２…可変荷重ばね、６４…連結ワイヤ
【図１】
2014181132.tif 000003
【図２】
2014181132.tif 000004
【図３】
2014181132.tif 000005
【図４】
2014181132.tif 000006
【図５】
2014181132.tif 000007
【図６】
2014181132.tif 000008
【図７】
2014181132.tif 000009
【図８】
2014181132.tif 000010
【図９】
2014181132.tif 000011
【図１０】
2014181132.tif 000012
【図１１】
2014181132.tif 000013
【図１２】
2014181132.tif 000014